(57)【要約】      （修正有）【課題】紙文書に記載される数値等の集計データから生成される電子帳票を電子帳票システムで管理する環境において、紙文書に基づくデータ入力の負担を軽減すると共に、電子帳票システムへ正確にデータを入力する。【解決手段】電子ファイリングサーバは、紙文書から電子化されたイメージファイル、イメージファイル上の矩形領域の情報、矩形領域内に配置される文字列に対する集計条件を取得し、イメージファイル上の矩形領域の情報を用いてイメージファイルに対して文字認識処理を行うことで得られる当該矩形領域内に配置される文字列、文字列に対する集計条件、イメージファイルが記憶されるアドレス情報を、電子帳票サーバへ送信する。電子帳票サーバは、文字列と集計条件とから得られる集計結果、集計結果を帳票データとするフォームデータ、アドレス情報を用いて、アドレス情報を選択可能な帳票イメージを表示する帳票ファイルを生成する。【選択図】図１
2010140243.tif 000002
【特許請求の範囲】
【請求項１】
紙文書から電子化されたイメージファイルを管理する電子ファイリングサーバと、帳票の形式を定義するフォームデータ及び帳票データから生成された帳票ファイルを管理する電子帳票サーバとがネットワークを介して通信可能な情報処理システムであって、
電子ファイリングサーバは、
紙文書から電子化されたイメージファイル、当該イメージファイル上の矩形領域の情報、当該矩形領域内に配置される文字列に対する集計条件を取得する取得手段と、
前記取得手段により取得されたイメージファイルを記憶する記憶手段と、
前記イメージファイル上の矩形領域の情報を用いて前記イメージファイルに対して文字認識処理を行うことで得られる当該矩形領域内に配置される文字列、前記取得手段により取得した文字列に対する集計条件、前記記憶手段により記憶されたイメージファイルが記憶されるアドレス情報を、前記電子帳票サーバへ送信する第一の送信手段と、
電子帳票サーバは、
前記第一の送信手段により送信された前記文字列、前記集計条件、前記アドレス情報を受信する受信手段と、
前記受信手段により受信された前記文字列と前記集計条件とから得られる集計結果、当該集計結果を帳票データとする前記フォームデータ、前記受信手段により受信したアドレス情報を用いて、当該アドレス情報を選択可能な帳票イメージを表示する帳票ファイルを生成する生成手段と
を有することを特徴とする情報処理システム。
【請求項２】
前記電子帳票サーバは、
クライアントＰＣからの要求に応じて前記帳票ファイルを送信する第二の送信手段を更に有し、
前記電子ファイリングサーバは、
前記第二の送信手段により送信された帳票ファイルを表示装置に表示したクライアントＰＣから前記アドレス情報により特定される前記イメージファイルを表示するための要求を受け付ける受付手段と、
前記受付手段により受け付けた要求に応じて、前記記憶手段により記憶されるイメージファイルを前記クライアントへ送信する第三の送信手段を更に有することを特徴とする請求項１に記載の情報処理システム。
【請求項３】
前記電子ファイリングサーバの前記第一の送信手段は、前記アドレス情報に認証情報を付加して送信し、
前記電子帳票サーバの第三の送信手段は、前記受付手段により受け付けた要求に応じて、前記認証情報を用いて認証ができた場合に、前記記憶手段により記憶されるイメージファイルを前記クライアントへ送信することを特徴とする請求項１または２に記載の情報処理システム。
【請求項４】
前記電子ファイリングサーバは、
前記イメージファイル上の矩形領域の情報を用いて前記イメージファイルに対して文字認識処理を行う文字認識手段を更に有することを特徴とする請求項１乃至３のいずれか１項に記載の情報処理システム。
【請求項５】
紙文書から電子化されたイメージファイルを管理する電子ファイリングサーバと、帳票の形式を定義するフォームデータ及び帳票データから生成された帳票ファイルを管理する電子帳票サーバとがネットワークを介して通信可能な情報処理システムにおける情報処理方法であって、
電子ファイリングサーバは、
紙文書から電子化されたイメージファイル、当該イメージファイル上の矩形領域の情報、当該矩形領域内に配置される文字列に対する集計条件を取得する取得ステップと、
前記取得ステップにより取得されたイメージファイルを記憶する記憶ステップと、
前記イメージファイル上の矩形領域の情報を用いて前記イメージファイルに対して文字認識処理を行うことで得られる当該矩形領域内に配置される文字列、前記取得ステップにより取得した文字列に対する集計条件、前記記憶ステップにより記憶されたイメージファイルが記憶されるアドレス情報を、前記電子帳票サーバへ送信する第一の送信ステップと、
電子帳票サーバは、
前記第一の送信ステップにより送信された前記文字列、前記集計条件、前記アドレス情報を受信する受信ステップと、
前記受信ステップにより受信された前記文字列と前記集計条件とから得られる集計結果、当該集計結果を帳票データとする前記フォームデータ、前記受信ステップにより受信したアドレス情報を用いて、当該アドレス情報を選択可能な帳票イメージを表示する帳票ファイルを生成する生成ステップと
を有することを特徴とする情報処理方法。
【請求項６】
紙文書から電子化されたイメージファイルを管理する電子ファイリングサーバと、帳票の形式を定義するフォームデータ及び帳票データから生成された帳票ファイルを管理する電子帳票サーバとがネットワークを介して通信可能な情報処理システムにおいて実行可能なプログラムであって、
電子ファイリングサーバを、
紙文書から電子化されたイメージファイル、当該イメージファイル上の矩形領域の情報、当該矩形領域内に配置される文字列に対する集計条件を取得する取得手段、
前記取得手段により取得されたイメージファイルを記憶する記憶手段、
前記イメージファイル上の矩形領域の情報を用いて前記イメージファイルに対して文字認識処理を行うことで得られる当該矩形領域内に配置される文字列、前記取得手段により取得した文字列に対する集計条件、前記記憶手段により記憶されたイメージファイルが記憶されるアドレス情報を、前記電子帳票サーバへ送信する第一の送信手段、
電子帳票サーバを、
前記第一の送信手段により送信された前記文字列、前記集計条件、前記アドレス情報を受信する受信手段、
前記受信手段により受信された前記文字列と前記集計条件とから得られる集計結果、当該集計結果を帳票データとする前記フォームデータ、前記受信手段により受信したアドレス情報を用いて、当該アドレス情報を選択可能な帳票イメージを表示する帳票ファイルを生成する生成手段
として機能させることを特徴とするプログラム。
【請求項７】
請求項６に記載のプログラムをコンピュータ読み取り可能に記録した記録媒体。
【発明の詳細な説明】
【技術分野】
【０００１】
本願発明は、大量の紙文書を読み込み保存する電子ファイリングシステムと、インプットデータを元に電子帳票を生成し保存する電子帳票システムとを連携させる技術に関するものである。
【背景技術】
【０００２】
現在、大量の紙文書を読み込みサーバに登録する機能を有する電子ファイリングシステムと、業務で必要なインプットデータを元に電子帳票を生成して保存・閲覧するための機能を有する電子帳票システムとがある。
【０００３】
電子ファイリングシステムは、紙文書を読み込む際にＯＣＲなどの技術を使って読み込んだイメージファイルの特定部分のテキスト情報を読み取り、読み込んだ紙文書の情報と共にデータベースに登録する。そして登録したテキスト情報は、一般的に検索キーとして使われる。
【０００４】
一方、電子帳票システムは、あらかじめ準備されている帳票フォームデータとそのフォームデータに対応するインプットデータを受け取り、電子帳票を生成してサーバへ保管する。そして、エンドユーザの要求に応じて電子化した帳票イメージを表示させる。
【０００５】
ここで、電子ファイリングシステムでは、電子化するために紙文書を読み込む際、読み込んだ紙文書の件数カウント等はできるが、紙文書の詳細な内容については取得していない。即ち、読み込んだ紙文書に記載されている数値等を取得して集計等はしていない。電子ファイリングシステムは、紙文書から読み込んだイメージファイルを管理することを主目的とするシステムだからである。
【０００６】
一方、電子帳票システムでは、電子帳票に入力されるインプットデータを受け取り、電子帳票を生成してサーバへ保存するが、そのインプットデータが記載されていた元の紙文書を取り込んで管理することをしていないため、電子帳票システムを介して元の紙文書を確認するができない。電子帳票システムは、インプットデータから生成された電子帳票を保存・検索することを主目的とするシステムだからである。
【０００７】
即ち、従来、電子ファイリングシステムと電子帳票システムとは、その管理目的が異なるため、それぞれ管理しているイメージファイルまたは電子帳票のインプットデータが、元々同じ紙文書に基づくものであったとしても、それぞれ独立して管理していた。
【０００８】
そのため、電子ファイリングシステムと電子帳票システムとを利用する業務において、登録時及び閲覧時に下記の問題が生じていた。
【０００９】
図２３は、電子ファイリングシステム及び電子帳票システムを利用した業務の流れを示す図である。以下、この図を用いて現状の問題点を説明する
（ａ）登録時における問題点
現状では、登録業務遂行者は、（１）紙文書をスキャンし、後で検索するためのキーワード（検索キー）を付加して電子ファイリングシステムに登録している。また、登録業務遂行者は、（２）紙文書の中身のデータを集計・演算し、電子帳票システムのインプットデータ（例えば、ＣＳＶ形式のインプットデータ）を生成し、電子帳票システムに帳票として登録している。
【００１０】
従って、登録業務遂行者は、電子ファイリングシステムへの登録と電子帳票システムへの登録とをそれぞれ別に実施する必要があるため手間がかかるという問題があった。
【００１１】
更に、電子帳票システムへの登録時には紙文書に記載されている数値等を手動で集計・演算等していたものからインプットデータを生成して入力するため集計ミス等をしてしまう可能性があった。集計ミス等が発生すると、電子ファイリングシステムと電子帳票システムとで不整合が生じるため、内部統制が重視されている現状において、この不整合は特に問題となる。
【００１２】
（ｂ）閲覧時における問題点
現状では、閲覧業務遂行者は、（１）業務に必要な電子帳票を、電子帳票システムを使用して閲覧する。また、閲覧業務遂行者は、（２）電子帳票システムで閲覧した電子帳票の元となる紙文書を閲覧する場合、紙文書がイメージファイルとして管理されている電子ファイリングシステムから検索することになるが、この際、閲覧業務遂行者は、閲覧している電子帳票の項目名等から検索キーワードを類推して、複数の検索条件を組み合わせて検索を行っている。
【００１３】
電子ファイリングシステムにおいて、イメージファイルは、検索キーワードと共に管理されているため、イメージファイルを特定するためには、手動で複数の検索条件を組み合わせる必要があった。そのため、所望の紙文書のイメージファイルを探し出すための検索式の作成に手間がかかるという問題があった。また、手動での検索であることからイメージファイルを特定したとしても、検索ミスをしていた場合には、元となる紙文書でない紙文書を誤認識してしまうという問題があった。更には、所望の検索結果を得ることができなかった場合には、作成した検索式に問題があるのか、イメージファイルそのものが存在しないのかが分からないという問題もあった。このことは、内部統制のため、原本確認を都度実施したい場合において特に問題となる。
【００１４】
特許文献１には、イメージファイルの特定の部分から調剤報酬情報を読み取って患者ごとに集計し、ある金額を越える患者の処方箋イメージファイルを出力する方法が開示されている。
【特許文献１】特開平１１−２５１８４号公報
【発明の開示】
【発明が解決しようとする課題】
【００１５】
しかしながら、特許文献１に記載の方法は、ある金額を超える患者の処方箋イメージファイルを出力するために、一時的に患者ごとの調剤報酬情報を集計するものであって、その結果自体を保存して閲覧可能に管理するものではない。また、ある患者の調剤報酬情報自体を閲覧する場合には、手動で探さなければならない。更に、そもそも特許文献１に記載の方法は、紙文書のイメージファイルを電子ファイリングシステムで管理し、その紙文書に記載される数値等の集計データから生成される電子帳票を電子帳票システムで管理する環境において、それぞれが管理するイメージファイルと電子帳票を利用して業務を遂行するような場面に適用できるものではない。
【００１６】
本願発明は、上記課題を解決するものであり、紙文書のイメージファイルを電子ファイリングシステムで管理し、その紙文書に記載される数値等の集計データから生成される電子帳票を電子帳票システムで管理する環境において、それぞれのシステムに対して紙文書に基づくデータ入力の負担を軽減すると共に、電子帳票システムへ正確にデータを入力する。また、電子帳票システムから、電子ファイリングシステムで管理されるイメージファイルを読み出すことを可能とする技術を提供する。
【課題を解決するための手段】
【００１７】
本願発明は、紙文書から電子化されたイメージファイルを管理する電子ファイリングサーバと、帳票の形式を定義するフォームデータ及び帳票データから生成された帳票ファイルを管理する電子帳票サーバとがネットワークを介して通信可能な情報処理システムであって、電子ファイリングサーバは、紙文書から電子化されたイメージファイル、当該イメージファイル上の矩形領域の情報、当該矩形領域内に配置される文字列に対する集計条件を取得する取得手段と、前記取得手段により取得されたイメージファイルを記憶する記憶手段と、前記イメージファイル上の矩形領域の情報を用いて前記イメージファイルに対して文字認識処理を行うことで得られる当該矩形領域内に配置される文字列、前記取得手段により取得した文字列に対する集計条件、前記記憶手段により記憶されたイメージファイルが記憶されるアドレス情報を、前記電子帳票サーバへ送信する第一の送信手段と、電子帳票サーバは、前記第一の送信手段により送信された前記文字列、前記集計条件、前記アドレス情報を受信する受信手段と、前記受信手段により受信された前記文字列と前記集計条件とから得られる集計結果、当該集計結果を帳票データとする前記フォームデータ、前記受信手段により受信したアドレス情報を用いて、当該アドレス情報を選択可能な帳票イメージを表示する帳票ファイルを生成する生成手段とを有することを特徴とする。
【発明の効果】
【００１８】
本願発明は、紙文書のイメージファイルを電子ファイリングシステムで管理し、その紙文書に記載される数値等の集計データから生成される電子帳票を電子帳票システムで管理する環境において、それぞれのシステムに対する紙文書に基づくデータ入力の負担を軽減すると共に、電子帳票システムへ正確にデータを入力する。また、電子帳票システムから、電子ファイリングシステムで管理されるイメージファイルを読み出すことを可能とする。
【発明を実施するための最良の形態】
【００１９】
以下、図面を参照して、本願発明の実施形態を詳細に説明する。
【００２０】
図１は、本願発明の一実施形態における情報処理システムの概略構成を示す図である。
【００２１】
電子ファイリングサーバ１０１は、スキャナ等により取り込まれたイメージファイルを登録するサーバである。登録時にＯＣＲ（文字認識処理）などの技術を使って読み込んだイメージファイルの特定部分のテキスト情報（文字列）を読み取り、読み込んだ紙文書の情報と共にデータベースに登録することで、ネットワーク１０５を介してクライアントＰＣ１０３、１０４に対して、イメージファイルの閲覧などのサービスを提供する。
【００２２】
電子帳票サーバ１０２は、電子帳票（帳票ファイル）を生成するために用いるフォームデータをあらかじめ記録しておき、そのフォームデータに対応する帳票データ（インプットデータ）が入力されると、電子帳票を生成して記録することで、ネットワーク１０５を介してクライアントＰＣ１０３、１０４に対して、電子帳票の閲覧や検索などのサービスを提供する。
【００２３】
クライアントＰＣ１０３、１０４は、イメージファイル及び電子帳票の閲覧および検索などを行う者が使用するクライアント端末であり、ネットワーク１０５を介して、電子ファイリングサーバ１０１や電子帳票サーバ１０２とのデータの送受信が可能である。
【００２４】
ネットワーク１０５は、例えばＬＡＮ（Ｌｏｃａｌ  Ａｒｅａ  Ｎｅｔｗｏｒｋ）やインターネットなどである。尚、図１のネットワーク上に接続される各種端末の構成は一例であり、用途や目的に応じて様々な構成例がある。
【００２５】
図２は、本願発明の実施形態の各種端末のハードウエア構成を示す図である。
【００２６】
ＣＰＵ２０１は、システムバス２０４に接続される各デバイスを統括的に制御する。また、ＲＯＭ２０３あるいは外部メモリ２１１には、ＣＰＵ２０１の制御プログラムであるオペレーティングシステム（ＯＳ）や、各サーバあるいは各クライアントの後述する各種機能を実現するためのプログラムが記憶されている。
【００２７】
ＲＡＭ２０２は、ＣＰＵ２０１の主メモリ、ワークエリア、一時待避領域等として機能する。
【００２８】
入力コントローラ２０５は、入力部２０９からの入力を制御する。この入力部２０９としては、特に、サーバやクライアント等の端末では、キーボード、マウス等のポインティングデバイスが挙げられる。また、印刷装置等では、タッチパネル、ボタン、スイッチ等が挙げられる。
【００２９】
表示コントローラ２０６は、表示部２１０の表示を制御する。この表示部２１０としては、例えば、ＣＲＴや液晶等が挙げられる。
【００３０】
外部メモリコントローラ（ＭＣ）２０７は、ブートプログラム、各種のアプリケーション、フォントデータ、ユーザファイル、編集ファイル、プリンタドライバ等を記憶する外部メモリ２１１へのアクセスを制御する。加えて、各サーバあるいは各クライアントの各種機能を実現するための各種テーブル、パラメータが記憶されている。この外部メモリ２１１としては、ハードディスク（ＨＤ）やフロッピー（登録商標）ディスク（ＦＤ）、ＰＣＭＣＩＡカードスロットにアダプタを介して接続されるコンパクトフラッシュ（登録商標）、スマートメディア等が挙げられる。
【００３１】
通信Ｉ／Ｆコントローラ２０８は、ネットワーク２１４を介して外部機器との通信制御処理を実行する。
【００３２】
本願発明を実現するためのプログラム２１２は外部メモリ２１１に記録されており、必要に応じてＲＡＭ２０２にロードされることによりＣＰＵ２０１によって実行されるものである。
【００３３】
以上説明したとおり、図１の情報処理システムにおける電子ファイリングサーバ１０１、電子帳票サーバ１０２、及びクライアントＰＣ１０３、１０４のハードウエア構成について説明した。
【００３４】
なお、電子ファイリングサーバ１０１は、外部メモリ２１１等に「集計箇所情報」「集計指定情報」「データ情報」「リンク情報」等を記憶する。
【００３５】
「集計箇所情報」は、図１３に示す情報である。「集計指定情報」は、図１４に示す情報である。「データ情報」は、図１５に示す情報である。「リンク情報」は、図１６に示す情報である。これらについての詳細な説明は後述する。
【００３６】
また、電子帳票サーバ１０２は、外部メモリ２１１等に「帳票フォームデータ」「電子帳票」「集計箇所情報ファイル」「データ情報ファイル」「リンク情報ファイル」等を記憶する。「帳票フォームデータ」とは、帳票の形式を定義するデータである。「電子帳票」とは、帳票フォームデータとそのフォームデータに入力される帳票データとから生成されるものであり、これにより表示装置に帳票イメージを表示することが可能となる。なお、「電子帳票」は、単独または複数のファイルによって構成され、単数または複数のページを含有している。電子帳票サーバ１０２の内部においては、複数の電子帳票のうち同一種類をグループ化して管理しており、それぞれの電子帳票はそのグループの中の世代と呼ばれる。また、「集計箇所情報ファイル」は、図２１に示す情報である。「データ情報ファイル」は、図２２に示す情報である。「リンク情報ファイル」は、図１０に示す情報である（アクセス可能なＵＲＬ等のアドレス情報）。これらについての詳細な説明は後述する。
【００３７】
図３は、本願発明の一実施形態における情報処理システムの全体処理の流れを示す図である。
【００３８】
（１）電子ファイリングサーバ３０４は、登録業務遂行者３０１の操作に従い、スキャナ３０３から読み取られた紙文書３０２のイメージファイルを登録する。登録の際には、登録業務遂行者によりあらかじめ設定された条件に従う。具体的には、登録業務遂行者によりなされた、紙文書において集計する領域の指定と、指定された領域に対してどのような集計を行うかの設定条件に従って登録をする。
【００３９】
（２）電子ファイリングサーバ３０４は、紙文書３０２のイメージファイルを登録すると共に、電子帳票サーバ３０５に対して、集計箇所情報ファイル、集計領域から抽出されたデータ情報ファイル、及びイメージファイルの所在を示すリンク情報ファイルを送信する。
【００４０】
（３）電子帳票サーバ３０５は、あらかじめ準備されている帳票フォームデータと、電子ファイリングサーバ３０４から受信した集計箇所情報ファイル及び集計領域から抽出されたデータ情報ファイルとを用いて、電子帳票３０６を生成すると共に、リンク情報を埋め込んで電子帳票３０６を保存する。
【００４１】
（４）電子帳票サーバ３０５は、保存している電子帳票３０６を、閲覧業務遂行者３０７の操作に従い閲覧させる。
【００４２】
（５）電子ファイリングサーバ３０４は、閲覧業務遂行者３０７の操作により、電子帳票３０６に埋め込まれているリンク情報の参照要求がなされた場合、参照要求がなされたイメージファイル３０８を閲覧させる。
【００４３】
以上により、登録業務遂行者３０１は、電子ファイリングサーバ３０４に対して紙文書の取り込み作業を行えば、同時に電子帳票サーバへの登録を行うことができるため、紙文書に基づくデータ入力の負担を軽減することができる。また、電子帳票サーバ３０５へ入力するデータは、電子ファイリングサーバ３０４により抽出されたデータを用いることから、手作業による入力ミスをなくすことができる。
【００４４】
更に、閲覧業務遂行者３０７は、電子帳票サーバ３０５からシームレスに電子ファイリングサーバ３０４で管理しているイメージファイル３０８を閲覧することができる。
【００４５】
図４は、本願発明の一実施形態における情報処理システムの全体処理の流れを示すフローチャートである。
【００４６】
登録業務遂行者は、クライアントＰＣを操作して紙文書の取り込みを行い、電子ファイリングサーバ及び電子帳票サーバへ登録を行う。
【００４７】
まず、登録業務遂行者は、取り込み専用のアプリケーションがインストールされているクライアントＰＣを操作し、専用アプリケーションを起動する。図５に専用アプリケーションの画面例を示す。
【００４８】
登録業務遂行者は、新規登録５０１を選択して、これから取り込む紙文書に対する文書グループの登録を行う。例えば、クライアントＰＣは、「添乗日報」等と入力され、登録ボタン（不図示）が押下されると、入力された文書グループを電子ファイリングサーバへ送信し、電子ファイリングサーバは、受信した文書グループを外部メモリ２１１等に登録する。ここで、電子ファイリングサーバは、文書グループを識別するために一意の文書ＩＤを付与する。
【００４９】
なお、クライアントＰＣは、専用アプリケーションを起動する時に電子ファイリングサーバと通信を行い、クライアントＰＣを操作する登録業務遂行者が登録可能な文書グループが電子ファイリングサーバに登録されている場合には、文書グループの一覧を選択領域５０３へ表示する。登録業務遂行者が登録可能な文書グループかは、ログイン情報を用いることにより識別する。
【００５０】
登録業務遂行者は、スキャナ等に取り込む紙文書をセットした状態で、選択領域５０３に表示されるリストから、これから取り込む紙文書の文書グループを選択し、ファイル取込５０１を選択する。クライアントＰＣは、ファイル取込５０１が選択されると、スキャナ等に対して、取り込み開始要求を行う。スキャナ等は、取り込み開始要求を受け付けることで、取り込み処理を開始して、取り込んだイメージファイルをクライアントＰＣへ送信する。
【００５１】
ステップＳ４０１において、クライアントＰＣは、紙文書のイメージファイルをＲＡＭ２０２等に読み込む。
【００５２】
ここで、読み込むイメージファイルの種類は、ＪＰＥＧ、ＰＤＦ、ＴＩＦＦ等の種々のフォーマット形式が指定可能である。なお、ＪＰＥＧ等のフォーマット形式を指定した場合、１０ページ分の紙文書を取り込むと１０個のイメージファイルを読み込む。一方、ＰＤＦ等のフォーマット形式を指定した場合、１０ページ分の紙文書を取り込むと１個のイメージファイルを取り込む。これは、フォーマット形式がマルチページファイルを構成できるものとできないものとの違いによる。本実施の形態においては、マルチページファイルに対応していないフォーマット形式が指定されたものとして以下説明を行う。
【００５３】
なお、図５の電子帳票システムへ送信５０４にチェックがなされている場合、電子ファイリングサーバは、電子ファイリングサーバで抽出した集計箇所情報（集計情報）、集計領域から抽出されたデータ、及びイメージファイルの所在を示す情報（リンク情報）を電子帳票サーバへ送信することとなる。
【００５４】
ステップＳ４０２において、クライアントＰＣは、登録業務遂行者の指示に従い、ステップＳ４０１で読み込んだ紙文書のイメージファイルを表示装置へ表示させる。
【００５５】
ステップＳ４０３において、クライアントＰＣは、登録業務遂行者の指示に従い、集計項目や集計情報の設定を受け付ける。ここで、集計項目とは、表示されたイメージファイル上の所定の領域に指定される矩形領域の位置とその矩形領域に対して設定される属性情報のことをいう。また、集計情報とは、集計項目を用いることにより取得される数字等に対して行う演算条件（集計条件）のことをいう。
【００５６】
図６に集計情報及び集計項目を設定する場合における画面例を示す。
【００５７】
まず、登録業務遂行者は、クライアントＰＣを操作して、表示されたイメージファイル上の所定の矩形領域を指定し、その指定した矩形領域に対して属性情報の設定を行う。例えば、図６において、「田中  太郎」が含まれる矩形領域にはキー矩形６０１の属性の設定を行い、「￥５，０００」が含まれる矩形領域には値矩形６０２の属性の設定を行い、「２月１日」が含まれる矩形領域には基点矩形６０７の属性の設定を行う。
【００５８】
次に、登録業務遂行者は、クライアントＰＣを操作して、集計項目を用いることにより取得される数字等に対して行う演算条件の設定を行う。図６の例では、演算子６０４に「ＳＵＭ」、演算範囲種別６０５に「期間」、演算範囲６０６に「１ヶ月」、基点日付６０８に「２／１」と設定されている。この設定により、電子帳票サーバにおいて、キー矩形６０１に「田中  太郎」があり、基点矩形６０７の日付が、基点日付６０８「２／１」から演算範囲６０６「１ヶ月」に該当するものを対象に、値矩形６０２の値を演算子６０４「ＳＵＭ」を用いて演算することとなる。図６の例では、２／１から１ヶ月間の期間内における田中太郎さんの日当を集計するものである。
【００５９】
また、図６とは別の画面例を図７に示す。図７の例では、演算子７０３に「ＳＵＭ」、演算範囲種別７０４に「件数」、演算範囲７０７に「１００件」、基点日付７０６に「２／１」と設定されている。この設定により、電子ファイリングサーバでは、キー矩形７０１に「佐藤  太郎」があり、基点矩形７０５の日付が基点日付７０６「２／１」の後であり且つ１００件目以内に該当するものを対象に、値矩形７０２の値を演算子７０３「ＳＵＭ」を用いて演算することとなる。図７の例では、２／１から１００件目以内の佐藤太郎さんの日当を集計するものである。
【００６０】
ステップＳ４０５において、クライアントＰＣは、登録業務遂行者の操作により取り込んだ紙文書のイメージファイルを電子ファイリングサーバへ登録する指示がなされた場合、まず、クライアントＰＣは、「集計項目」で指定された矩形領域に対してＯＣＲ処理を行ってテキスト情報を取得する。そして、クライアントＰＣは、ステップＳ４０１においてＲＡＭ等に読み込んだ紙文書のイメージファイル、及びＯＣＲ処理により取得したテキスト情報と、ステップＳ４０８において設定された集計項目及び集計情報とを電子ファイリングサーバへ送信する。
【００６１】
なお、本実施の形態においては、ＯＣＲ処理をクライアントＰＣにおいて実施する形態を説明しているが、ＯＣＲ処理を電子ファイリングサーバにおいて実施する形態もある。その場合、ＯＣＲ処理をすることなく、クライアントＰＣは、ステップＳ４０１においてＲＡＭ等に読み込んだ紙文書のイメージファイル、ステップＳ４０８において設定された集計項目及び集計情報とを電子ファイリングサーバへ送信する。
【００６２】
なお、ステップＳ４０３における集計項目、集計情報の設定は、文書グループ毎に行うものであるため、一度文書グループに対して設定がなされると、次回、同じ文書グループを指定して紙文書を取り込む場合は、ステップＳ４０３の設定をすることない。その場合、直ちに紙文書のイメージファイル及びその集計項目で指定された矩形領域に対するＯＣＲ処理の結果取得されるテキスト情報が、電子ファイリングサーバへ送信されることとなる。
【００６３】
ところで、登録業務遂行者は、電子ファイリングサーバに紙文書の取り込みを開始する前に、あらかじめ電子帳票サーバに帳票フォームデータの登録を行う必要がある。図８に帳票フォームデータの具体例を示す。この帳票フォームデータによると添乗員名８０１の右隣にテキスト情報が入力され、期間８０２の右隣に日付情報が入力され、日当８０３の右隣に数値情報が入力される。
【００６４】
以下、帳票フォームデータの登録方法を説明する。
【００６５】
ステップＳ４０４において、クライアントＰＣは、登録業務遂行者の操作に従い、ウェブブラウザを介して、電子ファイリングサーバまたは電子帳票サーバから取得した帳票フォームデータの登録画面を表示させる。登録業務遂行者は、登録画面を操作して帳票フォームデータの設定に必要な情報の入力を行う。例えば図９に示すような画面から設定に必要な情報の入力が行われる。なお、この帳票フォームデータには、どの文書ＩＤが入力された場合に用いられることになるかの設定をあらかじめしておく必要がある。
【００６６】
ステップＳ４０５において、クライアントＰＣは、登録業務遂行者により入力された情報を電子帳票サーバへ送信する。
【００６７】
ステップＳ４１１において、電子帳票サーバは、クライアントＰＣから受信した帳票フォームデータを外部メモリ２１１等に記録する。
【００６８】
次に、電子ファイリングサーバにおける登録処理の流れを説明する。
【００６９】
ステップＳ４０７において、電子ファイリングサーバは、ステップＳ４０５において、クライアントＰＣから送信された紙文書のイメージファイル、そのイメージファイルに対応するＯＣＲ処理の結果、集計項目、集計情報を受信し、文書グループ毎にそれぞれの文書グループを識別するための文書ＩＤで管理する。例えば「添乗日報」を管理する場合、「添乗日報」を一つの文書グループとして一意の文書ＩＤで管理する。文書ＩＤがまだ付与されていない場合は、ここで一の文書ＩＤを付与する。
【００７０】
電子ファイリングサーバが受信した集計項目、集計情報を管理するテーブルの例を次に示す。
【００７１】
図１３は、集計項目を管理する集計箇所情報を示す図である。「文書ＩＤ」は、文書グループを識別するＩＤである。「矩形数」は、イメージファイル上に設定されるキー矩形の矩形数を示す。「キー矩形」「値矩形」「基点矩形」は、図６のイメージファイル上に設定される矩形の座標情報を示す。キー矩形の数に応じて「キー矩形」、「値矩形」、「基点矩形」が繰り返される。また、イメージファイルが複数ある場合、イメージファイル毎に「矩形数」「キー矩形」「値矩形」「基点矩形」が繰り返される。
【００７２】
図１４は、集計情報を管理する集計指定情報を示す図である。「文書ＩＤ」は、文書グループを識別するＩＤである。「集計」には、図６において設定された条件が入力されている。例えば、演算子「ＳＵＭ」、演算範囲種別「期間」、演算範囲「１ヶ月」、基点日「２月１日」が入力されている場合、２月１日を基点に１ヶ月の間で値矩形内の数字の合計を算出するという集計条件が入力されている。また、集計の条件は複数設定することを可能としているため、複数の集計条件が設定された場合には、「集計１」「集計２」のようにそれぞれの集計条件が入力される。
【００７３】
ステップＳ４０８において、電子ファイリングサーバは、「集計箇所情報」「集計指定情報」を外部メモリ２１１等で管理するデータベースに格納する。
【００７４】
ところで、受信したイメージファイルに対応するＯＣＲ処理の結果は、電子帳票サーバにおいては、図１５に示すようなテーブル（データ情報）で管理する。「文書ＩＤ」「文書データ名」「キー情報」「値情報」「基点情報」が管理される。ここで、「キー情報」「値情報」「基点情報」には、図１３に示される「キー矩形」「値矩形」「基点矩形」のそれぞれの矩形領域からＯＣＲ処理の結果得られた値が管理されることになる。
【００７５】
なお、本実施の形態においては、ＯＣＲ処理をクライアントＰＣにおいて実施する形態を説明しているが、ＯＣＲ処理を電子ファイリングサーバにおいて実施する形態もある。この場合、電子ファイリングサーバは、受信したイメージファイルに対して、受信した「集計項目」で指定された矩形領域に対してＯＣＲ処理を行ってテキスト情報を取得する。
【００７６】
ステップＳ４０９において、電子ファイリングサーバは、ステップＳ４０７で受信した紙文書のイメージファイルを外部メモリ２１１等で管理するデータベースに、その格納先から参照可能なＵＲＬ情報と共に格納する。図１６にリンク情報の具体例を示す。「文書ＩＤ」は、文書グループを識別するためのＩＤである。「文書データ名」は、イメージファイルの名称である。「文書リンク」は、イメージファイルを参照可能なＵＲＬ情報である。「認証情報」は、認証の際に用いられる情報である。例えば、アクセスできるユーザＩＤ等を一般的な暗号が技術を用いて暗号化したものが考えられる。その他、どのような認証情報を用いてもよい。
【００７７】
ステップＳ４１５において、電子ファイリングサーバは、ステップＳ４０７において、クライアントＰＣから受信したデータ類を電子帳票サーバへ送信するかを判定する。この判定は、図５における文書グループの登録の際、「電子帳票システムへ送信」のチェックがなされているか否かにより判定する。具体的には、クライアントＰＣから受信したデータ類が属する文書グループに対してあらかじめ「電子帳票システムへ送信」するように設定されているかにより判定する。
【００７８】
ステップＳ４１５における判定の結果、電子ファイリングサーバは、送信しないと判定した場合には、ステップＳ４１６へ進み、処理を終了する。一方、送信すると判定した場合には、ステップＳ４１０へ進む。
【００７９】
ステップＳ４１０において、電子ファイリングサーバは、電子帳票サーバへ、集計箇所情報ファイル、データ情報ファイル、リンク情報ファイルを送信する。
【００８０】
図２１は、集計箇所情報ファイルを示す図である。これは、図１４に示す集計指定情報から作成されるファイルである。図２１に示す例では、ファイル名「添乗員日報集計指定ファイル」に、[ＢＵＮＳＹＯ０００１，ＳＵＭ，期間，１ヶ月，２月１日]と記載される。なお、複数の条件が記載されることもある。
【００８１】
図２２は、データ情報ファイルを示す図である。これは、図１５に示すデータ情報から作成されるファイルである。図２２に示す例では、ファイル名「添乗員日報データファイル」に[ＢＵＮＳＹＯ０００１，ＢＵＮＳＹＯ００１＿２００８０２０１＿０１，田中太郎，５０００，２００８／２／１]等と記載される。これは、
図１０は、リンク情報ファイルを示す図である。これは、図１６に示すリンク情報テーブルから作成されるファイルである。図１０に示す例では、ファイル名「添乗員日報リンク情報ファイル」に[２００８０２０１＿０１（２日１日），ＨＴＴＰ：／／ＳＥＲＶＥＲ／ＢＵＮＳＹＯ００１＿２００８０２０１＿０１，暗号化された認証情報]等と記載される。
【００８２】
次に、ステップＳ４１２において、電子帳票サーバは、電子ファイリングサーバから、集計箇所情報ファイル、データ情報ファイル、リンク情報ファイルを受信する。
【００８３】
ステップＳ４１３において、電子帳票サーバは、受信した集計箇所情報ファイル、データ情報ファイル、リンク情報ファイルを用いて、集計・演算を行う。詳細は、後述する。
【００８４】
なお、本実施の形態においては、ステップＳ４１３において、電子帳票サーバにおいて集計・演算を行う例を説明しているが、電子ファイリングサーバで集計・演算を行ってもよい。
【００８５】
ステップＳ４１４において、電子帳票サーバは、ステップＳ４１３における集計の結果、集計結果を入力するためのステップＳ４１１で登録した帳票フォームデータ、「リンク情報」とを用いて、電子帳票を生成する。ここで、クライアントＰＣにおいて、電子帳票が参照された場合に、「リンク情報」を選択可能な形式で生成する。生成された電子帳票の例を図１１に示す。フォームデータの特定は、文書ＩＤを用いる。
【００８６】
なお、集計結果帳票用のフォームデータとは別に、集計前のそれぞれの「データ」を入力するためのフォームデータを準備しておいてもよい。その場合、それぞれのデータ毎に電子帳票が生成される。例えば、田中太郎さんの、２月１日の電子帳票、２月２日の電子帳票等と、集計の元となった電子帳票が参照可能となる。
【００８７】
なお、受信した「データ」の中からどの部分のデータをフォームデータのどこへマッピングすべきかについては、あらかじめ用意したマッピング変換ツールを用いて実現する。
【００８８】
ステップＳ４１７において、電子帳票サーバは、電子ファイリングサーバへ、処理結果の通知を送信する。
【００８９】
ステップＳ４１８において、電子ファイリングサーバは、電子帳票サーバからの処理結果により、正常に終了した場合は、クライアントＰＣへ、終了処理を通知し（ステップＳ４１６）、エラーの場合は、エラー処理フローへ進む（ステップＳ４１９）。
【００９０】
図１７は、電子帳票サーバにおける集計処理の流れを示すフローチャートである。
【００９１】
図１７は、図１２のステップＳ４１３を詳細に記載したものである。
【００９２】
ステップＳ１７０１において、電子帳票サーバは、集計指定情報ファイル、データ情報ファイル、リンク情報ファイルを受信する。
【００９３】
ステップＳ１７０２において、電子帳票サーバは、受信した集計指定情報ファイル、データ情報ファイル、リンク情報ファイルを、外部メモリ２１１等に、読み込む。
【００９４】
ステップＳ１７０３において、電子帳票サーバは、読み込んだ、集計指定情報ファイルから演算種別、演算範囲を取得する。図２１を例にすると、[ＢＵＮＳＹＯ０００１，ＳＵＭ，期間，１ヶ月，２月１日]の場合、２月１日を基準に、期間が１ヶ月以内のデータ情報ファイルを演算対象であるとの情報を取得する。
【００９５】
ステップＳ１７０４において、電子帳票サーバは、対象となるデータ情報ファイルから、値を１件読み込む。図２２を例にすると、[ＢＵＮＳＹＯ０００１，ＢＵＮＳＹＯ００１＿２００８０２０１＿０１，田中太郎，５０００，２００８／２／１]の場合、５０００を読み込む。
【００９６】
ステップＳ１７０５において、電子帳票サーバは、リンク情報ファイルから文書リンクを取得する。図１０を例にすると、「２００８０２０１＿０１（２日１日），ＨＴＴＰ：／／ＳＥＲＶＥＲ／ＢＵＮＳＹＯ００１＿２００８０２０１＿０１，暗号化された認証情報」を取得する。
【００９７】
ステップＳ１７０６において、電子帳票サーバは、ステップＳ１７０４において読み込んだ値が、ステップＳ１７０３において取得した範囲内の値であるか否かを判定する。２月１日を基準に、期間が１ヶ月以内のデータ情報ファイルが演算対象となっている場合、[ＢＵＮＳＹＯ０００１，ＢＵＮＳＹＯ００１＿２００８０２０１＿０１，田中太郎，５０００，２００８／２／１]から読み込まれた５０００は、２００８／２／１の値であるため、範囲内であると判定される。
【００９８】
範囲内であると判定された場合、ステップＳ１７０７へ進み、範囲内でないと判定された場合、ステップＳ１７０８へ進む。
【００９９】
ステップＳ１７０７において、電子帳票サーバは、データの演算を行う。例えば、受信した集計指定情報ファイルが、[ＢＵＮＳＹＯ０００１，ＳＵＭ，期間，１ヶ月，２月１日]の場合、演算子がＳＵＭとなっている。従って、この場合、加算を行う。なお、演算の結果は、ＲＡＭ等に保存し、次の演算時に用いられる。演算対象の範囲内全ての合計値を算出することを目的とするからである。
【０１００】
ステップＳ１７０８の処理は、ステップＳ４１４と同じであるため、説明を省略する。
【０１０１】
なお、本実施の形態においては、電子帳票サーバにおいて、集計・演算を行う例を説明しているが、これに限られない。例えば、ステップＳ１７０３〜Ｓ１７０７の処理は、電子ファイリングサーバにおいて実施されてもよい。
【０１０２】
以上により、紙文書のイメージファイルを電子ファイリングシステムで管理し、その紙文書に記載される数値等の集計データから生成される電子帳票を電子帳票システムで管理する環境において、それぞれのシステムに対する紙文書に基づくデータ入力の負担を軽減すると共に、電子帳票システムへ正確にデータを入力することが可能となる。
【０１０３】
図１８は、電子帳票を参照する場合における処理の流れを示すフローチャートである。
【０１０４】
閲覧業務遂行者は、クライアントＰＣを操作して電子帳票を参照する。閲覧業務遂行者は、ウェブブラウザを介して電子ファイリングサーバ、電子帳票サーバへアクセスする。
【０１０５】
ステップＳ１８０１において、クライアントＰＣは、閲覧業務遂行者の電子帳票サーバへのログインを受け付ける。ログイン画面の例を図１９に示す。
【０１０６】
ステップＳ１８０２において、クライアントＰＣは、閲覧業務遂行者から電子帳票の選択指示を受け付ける。選択画面の例を図２０に示す。
【０１０７】
ステップＳ１８０３において、クライアントＰＣは、電子帳票サーバへ、閲覧業務遂行者から選択された電子帳票をウェブブラウザで表示させるための要求をする。
【０１０８】
ステップＳ１８０４において、電子帳票サーバは、要求を受けた電子帳票をクライアントＰＣへ送信する。
【０１０９】
ステップＳ１８０５において、クライアントＰＣは、電子帳票サーバから受信した電子帳票をウェブブラウザに表示させる。閲覧業務遂行者は、表示された電子帳票を閲覧する。
【０１１０】
ステップＳ１８０６において、クライアントＰＣは、電子帳票サーバに埋め込まれているリンク情報の閲覧指示を受け付け、電子ファイリングサーバへ、イメージファイルをウェブブラウザで表示させるための要求をする。図１１を例にすると、閲覧業務遂行者は、マウスを操作して、集計がされた電子帳票からその集計の元となったイメージファイルを選択する。例えば、「２００８０２０１＿（２月１日）」が選択された場合、クライアントＰＣは、「ＨＴＴＰ：／／ＳＥＲＶＥＲ／ＢＵＮＳＹＯ００１＿２００８０２０１＿０１，暗号化された認証情報」へのアクセスを実行する。
【０１１１】
ステップＳ１８０７において、電子ファイリングサーバは、暗号化された認証情報を復号化する。これは、電子帳票サーバと、電子ファイリングサーバで暗号化方法を統一することで実現可能である。そして、電子ファイリングサーバは、アクセス要求をしている閲覧業務遂行者のユーザＩＤが、復号化した際に得られる、アクセス可能なユーザＩＤであるかにより認証を行う。アクセス要求をしている閲覧業務遂行者のユーザＩＤは、ステップＳ１８０６において、クライアントＰＣから送信されているものとする。
【０１１２】
ステップＳ１８０８において、電子ファイリングサーバは、認証ができた場合、アクセス要求がされたイメージファイルをクライアントＰＣへ送信する。なお、図１１で、「全て呼び出す」が選択された場合には、電子ファイリングサーバは、全てのイメージファイルをクライアントＰＣへ送信する。
【０１１３】
ステップＳ１８０９において、クライアントＰＣは、受信したイメージファイルをウェブブラウザへ表示する。図１２は、表示の一例である。
【０１１４】
以上により、クライアントＰＣを操作する閲覧業務遂行者は、電子ファイリングサーバを意識することなく、シームレスで電子帳票システムから、電子ファイリングシステムで管理されるイメージファイルを読み出すことが可能となる。
【０１１５】
以下、本願発明を適用することにより有効なユースケースを挙げる
ユースケース１
登録業務において、（１）旅行会社の添乗員の添乗日報を電子ファイリングシステムに電子化して保管する。（２）その一方、添乗日報の内容から、伝票番号、社員番号、日付、日程を集計して添乗員の日当を計算したデータを別のシステムに入力し、電子帳票システムに保存する必要がある。
【０１１６】
閲覧業務において、（１）給与担当者は実際の日当の支払いを行うために、社員ごとの帳票を電子帳票システムで参照する。（２）給与担当者は日当を支払うにあたり、元となる添乗日報を確認する。そのために、従来は、電子ファイリングシステムで、あらかじめ設定された検索キーである伝票番号、社員番号、日付等による複雑な検索を行う必要がある。
【０１１７】
このような業務においては、元となる添乗日報を見つけ出すのに手間がかかることから、電子帳票システム側から、直接、元となる添乗日報を呼び出したいニーズが高い。また、電子帳票システムへの登録時に、元となる日報がファイリングされていることのチェックも行いたい。（ファイリングが漏れ、さらにそのまま日報が廃棄されてしまうようなことがよく発生する）
ユースケース２
登録業務において、（１）通関手続代行会社において、法令により通関申請書類は３年間の保管が義務付けられており、電子ファイリングシステムに電子化して保管する。（２）一回の通関申請で、複数の書類を使うので、顧客の一部の書類だけを先行して受け取り、不足資料については準備が出来次第受け取るというケースが多い。その際、同じ顧客の書類も受け取る都度、電子ファイリングシステムへ登録を行うと同時、別のシステムに書類の受け取り情報などを手作業で入力する必要がある。
【０１１８】
閲覧業務において、（１）通関申請を行う担当者は申請業務を行うため、電子ファイリングシステムで顧客情報、書類詳細情報などを入力して、目的書類を照会する。（２）通関申請を行う担当者は、別なシステムで顧客からの申請書類がそろっているかどうかを照会し、電子ファイリングシステムで登録されている電子化された申請書類を確認し、突合せ作業を行う必要がある。
【０１１９】
このような業務においては、同じ顧客の場合でも業務により一回の申請で多数の書類を管理する必要があり、電子ファイリングシステムで、紙書類の電子化が出来たが、顧客からの問合せや税関による事後調査の際には、目的の書類を探し出すのに複雑な検索キーを使い、多くの労力を必要とする。また、顧客が提出している書類がそろっているかどうかを電子帳票システムで担当者が手入力したサマリ情報を照会し、電子ファイリングシステムも照会して目的書類を確認しながら、突合せ作業も行う。その一方、電子帳票システム側から、直接、元となる電子ファイルを呼び出したいニーズが高い。また、申請書類の登録担当者が書類を電子ファイリングシステムに登録する以外に電子帳票システムにも手入力するといった二度手間がかかる作業を効率化したいというニーズが高い。また、一回の申請に必要とする多数の書類を何回も電子ファイリングシステム登録し、別の管理システムへ関連情報を手入力で行う上突合せも手作業で行うため、人為的ミスが発生し、本来の通関業務に影響を与えることがしばしば発生する。
【０１２０】
ユースケース３
登録業務において、（１）精密機器製造メーカにおいて、生産過程で生産図面を大量に有し、それは電子化して電子ファイリングシステムで保管する。（２）一つの生産図面を多数の取引先に配布し、配布原本を保管する必要があり、配布した取引先などを入力して保管する必要がある。
【０１２１】
閲覧業務において、（１）取引先からの問い合わせなどにより、過去に配布した紙図面を照会する。（２）生産図面作成ツールが多様化し、形式、仕様が変化し、図面設計者も過去の図面を観覧するときに、電子ファイリングシステムを使って検索キーを組み立てて照会する。（３）生産図面に多数の部品がかかれており、部品のベンター、仕様などを別なシステムで管理しており、部品の製品で使われる形態を確認するときに、別システムから部品の配置される関係図面を割り出して、電子ファイリングシステムで一つ一つ検索する必要がある。
【０１２２】
このような業務においては、生産した製品が存続するかぎり、生産図面を保管する必要があり、取引先からの問い合わせなどに速やかに目的図面を探し出す必要がある。その一方で、別な管理システムでお客様の契約情報、製品情報などを確認して目的図面を割り出してから、複雑な問い合わせ条件を作成して電子ファイリングシステムを照会して目的図面を探し出す必要がある。また、この場合、手作業により、人為的ミスが発生し、第三者の重要な精密機器の図面を誤って渡すトラブルもしばしば発生する。
【０１２３】
図面設計者は過去に使っていた図面作成ツールがサポート切れなどで使用できないケースがあり、電子ファイリングシステムから電子図面を探しだす必要がある。また同じ製品の図面でも何十世代分もあり、仕様変更やリコール対応を記録したデータが電子帳票システムに登録されており、帳票システムを確認しながら、電子ファイリングシステムを照会して関連する図面を呼出すことはとても手間がかかる。この場合、電子帳票システムから直接関連する図面をスムーズに呼び出したいニーズが高い。
【０１２４】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１２５】
この場合、記録媒体から読み出されたプログラムコード自体が本発明の新規な機能を実現することになり、そのプログラムコードを記憶した記録媒体は本発明を構成することになる。
【０１２６】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２８】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１３０】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０１３１】
なお、上述した各実施形態およびその変形例を組み合わせた構成も全て本発明に含まれるものである。
【図面の簡単な説明】
【０１３２】
【図１】本願発明の一実施形態における情報処理システムの概略構成を示す図である。
【図２】本願発明の実施形態の各種端末のハードウエア構成を示す図である。
【図３】本願発明の一実施形態における情報処理システムの全体処理の流れを示す図である。
【図４】本願発明の一実施形態における情報処理システムの全体処理の流れを示すフローチャートである。
【図５】本願発明の実施形態の文書読み込み設定画面を示す図である。
【図６】本願発明の実施形態の文書情報の設定画面を示す図である。
【図７】本願発明の実施形態の文書情報の設定画面を示す図である。
【図８】本願発明の実施形態の電子帳票フォームの具体例を示す図である。
【図９】本願発明の実施形態の電子帳票システムにおける帳票定義設定画面を示す図である。
【図１０】本願発明の実施形態のリンク情報ファイルの具体例を示す図である。
【図１１】本願発明の実施形態の生成された電子帳票の具体例を示す図である。
【図１２】本願発明の実施形態の電子ファイリングサーバから参照したイメージファイルを示す図である。
【図１３】本願発明の実施形態の集計箇所情報のデータ構成を示す図である。
【図１４】本願発明の実施形態の集計設定情報のデータ構成を示す図である。
【図１５】本願発明の実施形態のデータ情報のデータ構成を示す図である。
【図１６】本願発明の実施形態のリンク情報のデータを示す構成図である。
【図１７】本願発明の実施形態の電子帳票サーバにおける集計処理の流れを示すフローチャートである。
【図１８】本願発明の実施形態の電子帳票を参照する場合における処理の流れを示すフローチャートである。
【図１９】本願発明の実施形態の電子帳票システムへのログイン画面の具体例を示す図である。
【図２０】本願発明の実施形態の電子帳票システムでの電子帳票一覧の具体例を示す図である。
【図２１】本願発明の実施形態の集計箇所情報ファイルの具体例を示す図である。
【図２２】本願発明の実施形態のデータ情報ファイルの具体例を示す図である。
【図２３】従来の業務の流れを示す図である。
【符号の説明】
【０１３３】
１０１    電子ファイリングサーバ
１０２    電子帳票サーバ
１０３    クライアント
１０４    クライアント
１０５    ネットワーク
【図１】
2010140243.tif 000003
【図２】
2010140243.tif 000004
【図３】
2010140243.tif 000005
【図４】
2010140243.tif 000006
【図５】
2010140243.tif 000007
【図６】
2010140243.tif 000008
【図７】
2010140243.tif 000009
【図８】
2010140243.tif 000010
【図９】
2010140243.tif 000011
【図１０】
2010140243.tif 000012
【図１１】
2010140243.tif 000013
【図１２】
2010140243.tif 000014
【図１３】
2010140243.tif 000015
【図１４】
2010140243.tif 000016
【図１５】
2010140243.tif 000017
【図１６】
2010140243.tif 000018
【図１７】
2010140243.tif 000019
【図１８】
2010140243.tif 000020
【図１９】
2010140243.tif 000021
【図２０】
2010140243.tif 000022
【図２１】
2010140243.tif 000023
【図２２】
2010140243.tif 000024
【図２３】
2010140243.tif 000025